(57)【特許請求の範囲】
【請求項１】
高さを有するように形成され、中央部に開口部が形成された四辺形の水平板部を上端部に有し、前記水平板部の互いに対向する２辺それぞれに、互いに略平行に伸びた一対の立上り板部の上端部の辺それぞれが一体的に連続して形成された高さ部材と、
前記水平板部の互いに対向する２辺に直角に隣接する前記水平板部の他の２辺を、互いに対向して一対を成す複数の係止部が隙間を介して挟み込むことにより、前記水平板部に水平移動自在に吊り下げられ、前記複数の係止部から前記水平板部より下方に連続して形成された雌ネジ部が前記水平板部の前記開口部と同軸上に配置されたナット部材と、
前記高さ部材の下端部を着脱自在に保持する保持部が複数形成された基板部材と
を備えたことを特徴とするパネル固定具。
【請求項２】
前記水平板部の前記一対の立上り板部と一体的に連続する２辺の互いに対向する方向における前記一対の立上り板部間の内側の長さを、同方向における前記ナット部材の長さより大きくすることによって、
前記ナット部材を水平移動自在にすることができることを特徴とする請求項１に記載のパネル固定具。
【請求項３】
前記高さ部材は、前記一対の立上り板部の下端部それぞれから折れ曲り水平方向外側に突出する一対のフランジ板部が一体的に形成され、
前記一対のフランジ板部の一方の先端部に相当する部分において、略１８０度折り返すように曲げられて、他方のフランジ板部の下面に接触する底板部が一体的に形成され、
前記一対の立上り板部の下端部寄りの位置に、互いの対向方向の外側に隆起する隆起部が形成されたことを特徴とする請求項１又は２に記載のパネル固定具。
【請求項４】
前記基板部材の保持部は、前記基板部材の裏面側に開口する収納部と、この収納部の中央部をその厚さ方向に貫通する角孔を有し、
前記高さ部材の一対の立上り板部は前記基板部材の裏面側から前記保持部の角孔を挿通し、前記高さ部材のフランジ板部は前記保持部の収納部内に収納されたことを特徴とする請求項３に記載のパネル固定具。
【発明の詳細な説明】
【技術分野】
【０００１】
本発明は、例えば、フリーアクセスフロアのパネル部材を固定するのに用いられるようなパネル固定具に関するものである。
【背景技術】
【０００２】
図１０は、従来のパネル固定具２（例えば、特許文献１参照）と、この従来のパネル固定具２上に載置され固定されるパネル部材４、及びこのパネル部材４の隅部をパネル固定具２に固定するためのネジ部材６を示す断面図である。
【０００３】
パネル固定具２は、図示しない支持脚の調整台の上や、図示しない水平に設置された角パイプ材を用いたフレーム構造体の上等に固定されて用いられる。また、雄ネジ部６ａを有するネジ部材６は、その先端部側が、パネル部材４の隅部に形成された段付き孔部８に上方から挿入され、その雄ネジ部６ａが、パネル固定具２におけるキャップ部材１０の上端部に形成された雌ネジ部１２に、ネジ締結されるようになっている。
【０００４】
また、パネル固定具２は、図１１に示すように、キャップ部材１０を４つ備えている。これにより、パネル固定具２の上には、図１１中の２本の十字状に描かれた仮想線Ｌ１，Ｌ２が、互いに隣り合うパネル部材４相互間の境界線となるように、４枚のパネル部材４のそれぞれの隅部が一ヶ所に集まって配置され、それらの隅部がパネル固定具２のネジ部材６によりその底部の表面板３２上に固定されるようになっている。
【０００５】
また、パネル固定具２の４つのキャップ部材１０のそれぞれは、水平方向（図１１中、紙面と平行方向）に一定範囲内（同図中、表面板３２の長孔３２ａ内）で自在に移動することができるように設けられているので、パネル部材４の取り付け位置がキャップ部材１０に対して水平方向に多少ずれても、キャップ部材１０がそのずれを無くす方向に水平移動することにより、パネル部材４の隅部を止める図１０のネジ部材６の雄ネジ部６ａは、確実に、上記キャップ部材１０の雌ネジ部１２にネジ締結することができる。
【特許文献１】特開２００７−２１８０００号公報
【発明の開示】
【発明が解決しようとする課題】
【０００６】
しかしながら、上記従来のパネル固定具２においては、例えば、図１２に示すように、部屋の隅部に配置されるパネル部材４の、最も部屋の隅部寄りの１つの隅部だけを支持するために用いる場合には、その４つのキャップ部材１０のうちの３つが使用されない状態になるため、せっかく組付けられているその３つのキャップ部材１０が無駄となって、パネル固定具２が配置される位置によって構造的かつコスト的に無駄が生じていたという問題があった。
【０００７】
また、上記従来のパネル固定具２においては、このパネル固定具２を、部屋の壁際に配置するパネル部材４の壁側の隅部だけを支持するために、キャップ部材１０のうちの２つが使用されない状態になる場合（図３中のパネル固定具２０Ｂ参照）、或いは、パネル固定具２の上方において各隅部が一ヶ所に集まって配置される４枚のパネル部材４のうちのいずれかが配置されなくなるような場所においても、使用されなくなるキャップ部材１０が生じることになるので、やはり、パネル固定具２が配置される位置によって構造的かつコスト的に無駄が生じていたという問題があった。
【０００８】
そこで本発明は、上記問題点に鑑みて、パネル固定具が配置される位置によって構造的かつコスト的に無駄が生じないようにすることができるパネル固定具を提供することを課題とするものである。
【課題を解決するための手段】
【０００９】
上記課題を解決するために、本発明によるパネル固定具は、
高さを有するように形成され、中央部に開口部が形成された四辺形の水平板部を上端部に有し、前記水平板部の互いに対向する２辺それぞれに、互いに略平行に伸びた一対の立上り板部の上端部の辺それぞれが一体的に連続して形成された高さ部材と、
前記水平板部の互いに対向する２辺に直角に隣接する前記水平板部の他の２辺を、互いに対向して一対を成す複数の係止部が隙間を介して挟み込むことにより、前記水平板部に水平移動自在に吊り下げられ、前記複数の係止部から前記水平板部より下方に連続して形成された雌ネジ部が前記水平板部の前記開口部と同軸上に配置されたナット部材と、
前記高さ部材の下端部を着脱自在に保持する保持部が複数形成された基板部材とを備えたことを特徴とするものである。
【００１０】
また、本発明によるパネル固定具は、
前記水平板部の前記一対の立上り板部と一体的に連続する２辺の互いに対向する方向における前記一対の立上り板部間の内側の長さを、同方向における前記ナット部材の長さより大きくすることによって、
前記ナット部材を水平移動自在にすることができることを特徴とするものである。
【００１１】
また、本発明によるパネル固定具は、
前記高さ部材は、前記一対の立上り板部の下端部それぞれから折れ曲り水平方向外側に突出する一対のフランジ板部が一体的に形成され、
前記一対のフランジ板部の一方の先端部に相当する部分において、略１８０度折り返すように曲げられて、他方のフランジ板部の下面に接触する底板部が一体的に形成され、
前記一対の立上り板部の下端部寄りの位置に、互いの対向方向の外側に隆起する隆起部が形成されたことを特徴とするものである。
【００１２】
また、本発明によるパネル固定具は、
前記基板部材の保持部は、前記基板部材の裏面側に開口する収納部と、この収納部の中央部をその厚さ方向に貫通する角孔を有し、
前記高さ部材の一対の立上り板部は前記基板部材の裏面側から前記保持部の角孔を挿通し、前記高さ部材のフランジ板部は前記保持部の収納部内に収納されたことを特徴とするものである。
【発明の効果】
【００１３】
このような本発明のパネル固定具によれば、
高さを有するように形成され、上端面に開口する雌ネジが形成された高さ部材と、
前記高さ部材の下端部を着脱自在に保持する保持部が複数形成された基板部材とを備えたことにより、
パネル固定具が配置される位置によって構造的かつコスト的に無駄が生じないようにすることができる。
【００１４】
また、本発明のパネル固定具によれば、
高さを有するように形成され、中央部に開口部が形成された四辺形の水平板部を上端部に有し、この水平板部の２辺に一体的に連続する一対の立上り板部を有する高さ部材と、
前記水平板部に水平移動自在に係合され、前記開口部と略同軸上に連通するように形成された雌ネジを有するナット部材と、
前記高さ部材の下端部を着脱自在に保持する保持部が複数形成された基板部材とを備えたことことにより、
パネル固定具が配置される位置によって構造的かつコスト的に無駄が生じないようにすることができる。
【００１５】
また、本発明のパネル固定具によれば、
前記ナット部材が複数の係止部を有し、
前記係止部のそれぞれが、前記水平板部の前記立上り板部に一体的に連続している２辺以外の２辺のそれぞれに隙間を介して係合することによって、
前記ナット部材を水平移動自在にすることができることにより、
パネル部材の取り付け位置が水平方向に多少ずれても、その隅部を止めるネジ部材の雄ネジ部は、確実にナット部材の雌ネジ部にネジ締結することができる。
【００１６】
また、本発明のパネル固定具によれば、
前記ナット部材が複数の係止部を有し、
前記水平板部の前記一対の立上り板部と一体的に連続する２辺の互いに対向する方向における前記一対の立上り板部間の内側の長さを、同方向における前記ナット部材の長さより大きくすることによって、
前記ナット部材を水平移動自在にすることができることにより
パネル部材の取り付け位置が水平方向に多少ずれても、その隅部を止めるネジ部材の雄ネジ部は、確実にナット部材の雌ネジ部にネジ締結することができる。
【発明を実施するための最良の形態】
【００１７】
以下、本発明に係るパネル固定具を実施するための最良の形態について、図面に基づいて具体的に説明する。
図１から図４は、本発明の第１の実施の形態に係るパネル固定具２０について説明するために参照する図である。
【００１８】
本実施の形態に係るパネル固定具２０は、図１及び図２に示すように、４つの高さ部材２２と、１枚の基板部材２４とを備えて構成されている。
【００１９】
パネル固定具２０の４つの高さ部材２２のそれぞれは、直方体状に形成されていて、基板部材２４の上面から上方に垂直に立上がる立上り部２６と、この立上り部２６の下端部に一体的に形成される長方形のフランジ状のフランジ板部２８とを有している。高さ部材２２のそれぞれは、その立上り部２６が上方に高さを有するように形成され、その上端面に開口するように形成される雌ネジ３０を有している。
【００２０】
また、パネル固定具２０の基板部材２４は、図１に示すように、その平面形状が長方形となるように形成されている。また、この基板部材２４には、互いに離れて縦横２列に並んで配置される４つの保持部３２が形成されている。
【００２１】
この４つの保持部３２のそれぞれは、図１及び図２に示すように、収納部３４と角孔３６を有するように形成されている。この保持部３２の収納部３４は、基板部材２４の裏面側に開口し、この基板部材２４の厚さ方向に、高さ部材２２のフランジ板部２８の厚さよりわずかに大きな深さを有するように形成されている。
【００２２】
そして、この収納部３４は、図１に示すように、その平面形状が長方形となるように形成されていて、高さ部材２２のフランジ板部２８の長方形より大きな長方形となるように形成されている。また、保持部３２の角孔３６は、収納部３６の平面形状の中央部において、高さ部材２２の立上り部２６の水平断面の長方形より大きな長方形となるように、基板部材２４の厚さ方向に貫通するように形成されている。
【００２３】
パネル固定具２０は、その高さ部材２２の立上り部２６が、基板部材２４の裏面側から保持部３２の角孔３６に挿入され、高さ部材２２のフランジ板部２８が、基板部材２４の保持部３２の収納部３４内に収納されるようになっている。これにより、パネル固定具２０は、その高さ部材２２のそれぞれの下端部が、基板部材２４の保持部３２に着脱自在かつ水平方向に自在に移動することができるように保持されている。
【００２４】
次に、図３及び図４に基づいて、本実施の形態に係るパネル固定具２０の使用法を説明する。
【００２５】
図３は、フリーアクセスフロア４２を敷設した部屋４０の一部の領域床部を示す平面図である。この部屋４０内には、その壁面４４と一体的に形成された角柱４６が配置されている。フリーアクセスフロア４２の床面を形成するパネル部材４は、部屋４０内の角柱４６の周囲において、壁面４４、及び、角柱４６の側面４６ａ、４６ｂに沿って配置されている。
【００２６】
本実施の形態に係るパネル固定具２０は、パネル部材４の隅部を、その下側（図３中、奥側）から支持して、それを固定するようになっている。また、パネル固定具２０は、角パイプ材等により構成され部屋４０内に設置されたフレーム構造体４８（図４参照）の上面上に、両面テープ、接着剤又は不図示のビス等により固定されている。ここで、図３においては、図面の複雑化を防止するため、パネル固定具２０はその外形線のみを破線で示してある。
【００２７】
パネル固定具２０は、図４に示すように、その基板部材２４の上面上に、パネル部材４の側板部４ａの底面を載置させることにより、パネル部材４を支持するようになっている。また、パネル固定具２０は、その高さ部材２２の雌ネジ３０がネジ部材４３の雄ネジとネジ締結することにより、パネル部材４の隅部を基板部材２４の上面上に固定するようになっている。パネル固定具２０のそれぞれは、予めネジ部材４３とネジ締結するために必要とする個数分だけの高さ部材２２を、基板部材２４の保持部３２に設けたものが用いられている。
【００２８】
例えば、図３に示すように、壁面４４と、この壁面４４の水平断面において直角方向に配置される角柱４６の側面４６ａに挟まれて形成される隅部に配置されるパネル部材４Ａの四隅のうち、壁面４４と角柱４６の側面４６ａとの間の隅部に最も近い１つの隅部を支持するパネル固定具２０Ａは、図３及び図４に示すように、そのパネル部材４Ａの当該隅部を止めるネジ部材４３とネジ締結するための１つの高さ部材２２だけを設ければよく、他の３つの高さ部材２２は設けなくともよいようになっている。
【００２９】
また、図３に示すように、角柱４６の側面４６ａの水平方向に沿う方向（図３中、左右方向）に、パネル固定具２０Ａと離れて隣に配置されるパネル固定具２０Ｂは、パネル部材４Ａと、上記側面４６ａの水平方向に沿う方向に、このパネル部材４Ａと互いに隣り合って配置されるパネル部材４Ｂと、パネル部材４Ａのそれぞれの、角柱４６の近傍の、互いに隣り合って配置される隅部を支持するようになっている。
【００３０】
このため、図３及び図４に示すように、これらを止める計２本のネジ部材４３とネジ締結するための２つの高さ部材２２だけを設ければよく、他の２つの高さ部材２２は設けなくともよいようになっている。
【００３１】
また、図３に示すように、角柱４６の水平断面において、その側面４６ａと、この側面４６ａと直角方向に形成された角柱４６の側面４６ｂとに挟まれて形成される、角柱４６の角部４６ｃの近傍には、３枚のパネル部材４Ｂ，４Ｃ，４Ｄのそれぞれの隅部が集まって配置されている。
【００３２】
この角柱４６の角部４６ｃの近傍に配置されるパネル部材４Ｂ，４Ｃ，４Ｄの隅部のうちの、パネル部材４Ｂ，４Ｃの隅部の下側（図中奥側）には、このパネル部材４Ｂ，４Ｃのそれぞれの隅部の両方を支持するパネル固定具２０Ｃが配置されている。このパネル固定具２０Ｃは、図３に示す２つのネジ部材４３と同じ位置に、２つの高さ部材２２だけを設ければよく、他の２つの高さ部材２２は設けなくともよいようになっている。
【００３３】
また、角柱４６の角部４６ｃの近傍に配置される上記３つのパネル部材のうちの、残りのパネル部材４Ｄだけの隅部の下側（図中奥側）には、このパネル部材４Ｄの隅部のみを支持するパネル固定具２０Ｄが配置されている。このパネル固定具２０Ｄは、図３に示す１つのネジ部材４３と同じ位置に、１つの高さ部材２２だけを設ければよく、他の３つの高さ部材２２は設けなくともよいようになっている。
【００３４】
このような本実施の形態に係るパネル固定具２０によれば、パネル部材４の隅部を固定するネジ部材４３とネジ締結するために必要な個数分の高さ部材２２だけを、基板部材２４の保持部３２に設けるだけでよく、不要な個数分の高さ部材２２は基板部材２４に設けなくともよいので、パネル固定具２が配置される位置によって構造的かつコスト的に無駄が生じないようにすることができる。
【００３５】
次に、図５から図９は、本発明の第２の実施の形態に係るパネル固定具５０について説明するために参照する図である。前記第１の実施の形態に係るパネル固定具２０と同様の部分には同じ符号を用いて説明し、同様の構成や使用法についての重複する説明はなるべく省略するものとする。
【００３６】
本実施の形態に係るパネル固定具５０は、図５及び図６に示すように、前記第１の実施の形態に係るパネル固定具２０における４つの高さ部材２２の代わりに、４つの高さ部材５２と、この４つの高さ部材５２それぞれの上端部に係合する４つのナット部材５４とを備えている。
【００３７】
４つの高さ部材５２のそれぞれは、前記第１の実施の形態に係るパネル固定具２０における高さ部材２２と同様に、基板部材２４の４つの保持部３２のそれぞれに、その底面開口部側から挿入又は抜出し自在に収納されるようになっている。高さ部材５２と基板部材２４とは、本実施の形態においては水平方向に相対移動ができないようになっているが、同方向に相対移動ができるようにしてもよい。
【００３８】
図７から図９のそれぞれは、上記パネル固定具５０が有する４つの高さ部材５２の一つを示すその平面図、正面図、及び側面図である。
高さ部材５２は、１枚の水平板部５６、一対の立上り板部５８，６０、一対のフランジ板部６２，６４、及び１枚の底板部６６を有している。この高さ部材５２の一対の立上り板部５８，６０は、図７，８中左右方向に離れて互いに対向するように配置されている。
【００３９】
この一対の立上り板部５８，６０のそれぞれには、図７から図９に示すように、その高さ方向の下端部寄りの位置に、互いの対向方向の外側に隆起する隆起部８０が設けられ、この隆起部８０は立上り板部５８，６０の幅方向（図９中左右方向）に互いに離れて２つずつ形成されている。
【００４０】
また、図７及び図８に示すように、高さ部材５２の水平板部５６は、この高さ部材５２の高さ上端部に配置されて、四辺形に形成され、互いに対向する２辺において直角に下方に折れ曲がって形成されている一対の立上り板部５８，６０の上端部に一体的に連続して形成されている。
【００４１】
また、この水平板部５６の中央部には、その厚さ方向に貫通する円形状の開口部６８が形成されている。この開口部６８はその円形状の直径が、後述するナット部材５４の雌ネジ部７６の最大の径（雌ネジ部７６の谷の径）よりも大きくなるように形成されている。
【００４２】
また、高さ部材５２の一対のフランジ板部６２，６４のそれぞれは、一対の立上り板部５８，６０の下端部における互いの対向方向の両外側に折曲って、水平方向に突出するように形成されている。
【００４３】
また、高さ部材５２の底板部６６は、図８に示すように、一対のフランジ板部６２，６４の間を渡すようにこれらの下側に水平に配置されている。この底板部６６は、フランジ板部６４の先端部に相当する部分において、１８０度折り返すように下側に曲げられた後水平方向に伸び、その曲げられた水平方向の先端部がフランジ板部６２の下面に接触するように形成されている。
【００４４】
また、ナット部材５４は、図７に示すように、その平面形状が四辺形に形成されている。ナット部材５４は、このような四辺形の平面形状の四隅のそれぞれに１つずつ形成された、計４つの係止部７０を有している。
【００４５】
このナット部材５４の係止部７０のそれぞれは、当初は、このナット部材５４の四隅のそれぞれから図７中上下方向に突出して伸びるように形成されていた帯状板部を、その長さ方向（図７中上下方向）の途中で、図９に示すように、上側に折り返すように曲げて形成したものである。
【００４６】
ナット部材５４の上記４つの係止部７０は、図７に示すように、これら４つのうち、図７中上下方向に互いに対向するように配置されている２つの係止部７０ａと７０ｂとが一対を成しており、ナット部材５４は、上記上下方向に対向するように配置されて一対を成す係止部７０ａ，７０ｂを、２組有していることになる。
【００４７】
図８に示すように、ナット部材５４の中央部は、高さ部材５２の水平板部５６の下側に配置され、図７に示すように、上記一対を成す係止部７０ａ，７０ｂの２組のそれぞれが、高さ部材５２の水平板部５６における外周の４辺のうちの、一対の立上り板部５８，６０と一体的に連続している２辺以外の２辺、すなわち、図７中左右方向に伸びる２辺のそれぞれの縁部に、図９に示すように隙間を介して係合している。このとき、水平板部５６とその下側のナット部材５４のテーパ部７４の周囲の上面との間にも隙間を有している。
【００４８】
すなわち、ナット部材５４は、図９中左右方向の全体長さから、互いに対向する一対の係止部７０ａ，７０ｂのそれぞれの折り返し部の厚さ分を差し引いた長さ（図９中、寸法Ｓ）が、この長さ方向と同じ方向の、水平板部５６の幅（図９中、寸法Ｔ）よりも大きくなるように形成されている。これによりナット部材５４は、図９中左右方向に、（Ｓ−Ｔ）の長さ範囲内で水平板部５６に対して自在に水平移動することができるようになっている。
【００４９】
また、ナット部材５４のそれぞれは、図８中左右方向の長さ（図８中、寸法Ｕ）が、高さ部材５２における一対の立上り板部５８，６０間の内側の長さ（図８中、寸法Ｖ）よりも短い長さとなるように形成されている。
これによりナット部材５４は、水平板部５６に対して、図８中左右方向に、（Ｖ−Ｕ）の長さ範囲内で自在に水平移動することができるようになっている。
【００５０】
したがって、ナット部材５４のそれぞれは、結局、水平板部５６に対して水平方向の所定範囲内で、任意の方向に移動自在となっている。このとき、水平板部５６とその下側のナット部材５４のテーパ部７４の周囲の上面との間にも隙間を有しているので、水平板部５６に対するナット部材５４の水平移動を円滑にすることができる。
【００５１】
また、ナット部材５４の中央部には、図９に示すように、高さ部材５２の底板部６６側に向かって突出する筒状部７２が、テーパ部７４を介して形成されている。このような筒状部７２は、例えば、絞り加工等により形成することができる。
【００５２】
また、このナット部材５４の筒状部７２には、その内周部に雌ネジ部７６が形成されている。このナット部材５４の雌ネジ部７６は、図７及び図９に示すように、水平板部５６の開口部６８と略同軸上に連通するように形成されている。
【００５３】
このような本実施の形態に係るパネル固定具５０によれば、高さ部材５２が基板部材２４に着脱自在となっているため、前記第１の実施の形態に係るパネル固定具２０と同様に、パネル部材４の隅部を固定するネジ部材４３とネジ締結するために必要な個数分の高さ部材５２だけを基板部材２４に設けるだけでよく、不要な個数分の高さ部材５２は基板部材２４に設けなくともよいので、パネル固定具５０が配置される位置によって構造的かつコスト的に無駄が生じないようにすることができる。
【００５４】
また、本実施の形態に係るパネル固定具５０によれば、そのナット部材５４が水平方向の任意の方向に移動自在になっているので、パネル部材４の取り付け位置がパネル固定具５０に対して水平方向に多少ずれていても、ナット部材５４がそのずれを無くす方向に水平移動することにより、パネル部材４の隅部を止めるネジ部材４３の雄ネジ部は、確実に、ナット部材５４の雌ネジ部７６にネジ締結することができる。
【００５５】
また、本実施の形態に係るパネル固定具５０によれば、図６に示すように、その高さ部材５２における一対の立上り板部５８，６０の下端側の隆起部８０が、基板部材２４における保持部３２の角孔３６の内周面と基板部材２４の上面との間の角部に引っ掛かるようになっているので、高さ部材５２がこの保持部３２から図中下方に容易に脱落するのを防止することができる。
【００５６】
なお、上記第２の実施の形態に係るパネル固定具５０においては、そのナット部材５４の筒状部７２が、高さ部材５２の水平板部５６の下側に配置されるようになっていたが、その筒状部７２が水平板部５６の上側に配置されるように、ナット部材５４を裏返しにした状態でその係止部７０を水平板部５６に上下逆にした状態で係合させるようにしてもよい。
【００５７】
また、前記第１及び第２の実施の形態に係るパネル固定具２０，５０においては、図１及び図５に示すように、高さ部材２２，５２が、基板部材２４における保持部３２に、この基板部材２４の裏面側から装着されるようになっていたが、他の実施例として、例えば、図１及び図５に示す基板部材２４における保持部３２の収納部３４及び角孔３６のそれぞれの平面形状の、同図中上下方向における外側寄りの辺（図中横方向に伸びてる）が、基板部材２４における図中横方向に伸びてる辺と一致するように、収納部３４及び角孔３６の同図中上下方向に伸びてる辺が延長されて、収納部３４及び角孔３６の断面が基板部材２４の側面に露出するように形成してもよい。
【００５８】
このような他の実施例によれば、高さ部材２２，５２を基板部材２４の側面の外側から水平方向に、基板部材２４の中央側の突当り面（収納部３４及び角孔３６の図中横方向に伸びてる、基板部材２４の中央側の辺と一致する面）に当たるまでスライドさせることにより、装着させることができる。
【００５９】
また、前記第１及び第２の実施の形態においては、パネル固定具２０，５０の使用法として、このパネル固定具２０，５０をフレーム構造体４８上に固定する場合について説明したが、パネル固定具２０，５０は、このような使用法に限定されず、例えば、部屋内の下地床面上に設置される支持脚の高さ調整台等の上に固定されるようになっていてもよい。
【図面の簡単な説明】
【００６０】
【図１】本発明の第１の実施の形態に係るパネル固定具２０を示す平面図である。
【図２】図１に示すパネル固定具２０のＡ−Ａ線矢視の断面図である。
【図３】本発明の第１の実施の形態に係るパネル固定具２０の使用法を説明するためのフリーアクセスフロア４２の平面図である。
【図４】図３に示すパネル部材４及びパネル固定具２０のＢ−Ｂ線矢視の断面図である。
【図５】本発明の第２の実施の形態に係るパネル固定具５０を示す平面図である。
【図６】図５に示すパネル固定具５０のＡ矢視図である。
【図７】図５に示す高さ部材５２及びナット部材５４の平面図である。
【図８】図７に示す高さ部材５２及びナット部材５４のＡ矢視図である。
【図９】図８に示す高さ部材５２及びナット部材５４のＢ矢視図である。
【図１０】従来のパネル固定具２、パネル部材４、及びネジ部材６を示す断面図である。
【図１１】図１０におけるパネル固定具２だけを示す平面図である。
【図１２】従来のパネル固定具２の使用法を説明するためのパネル部材４の平面図である。
【符号の説明】
【００６１】
２  パネル固定具
４  パネル部材
４Ａ〜４Ｄ  パネル部材
４ａ  側板部
６  ネジ部材
６ａ  雄ネジ部
８  段付き孔部
１０  キャップ部材
１２  雌ネジ部
２０  パネル固定具
２０Ａ〜２０Ｄ  パネル固定具
２２  高さ部材
２４  基板部材
２６  垂直部
２８  フランジ板部
３０  雌ネジ
３２  保持部
３４  収納部
３６  角孔
４０  部屋
４２  フリーアクセスフロア
４３  ネジ部材
４４  壁面
４６  角柱
４６ａ、４６ｂ  壁面
４８  フレーム構造体
５０  パネル固定具
５２  高さ部材
５４  ナット部材
５６  水平板部
５８，６０  立上り板部
６２，６４  フランジ板部
６６  底板部
６８  開口部
７０  係止部
７２  筒状部
７４  テーパ部
７６  雌ネジ部
８０  隆起部
【図１】
0005231037.tif 000002
【図２】
0005231037.tif 000003
【図３】
0005231037.tif 000004
【図４】
0005231037.tif 000005
【図５】
0005231037.tif 000006
【図６】
0005231037.tif 000007
【図７】
0005231037.tif 000008
【図８】
0005231037.tif 000009
【図９】
0005231037.tif 000010
【図１０】
0005231037.tif 000011
【図１１】
0005231037.tif 000012
【図１２】
0005231037.tif 000013